(57)【特許請求の範囲】
【請求項１】
貯蔵媒体上のデータを再生する方法において、
貯蔵媒体は、オーディオデータと、該オーディオデータに収録されたオーディオの内容を説明する情報を含むカタログ情報と、オーディオデータ全体に対して共通に適用される情報を含むカタログ情報と、連結して再生すべき前記オーディオデータと前記カタログ情報を示すカタログ再生情報とを貯蔵し、
前記方法は、
（ａ）オーディオデータの再生が開始する前に、該オーディオデータに収録されたオーディオの内容を説明する情報を含むカタログ情報と、オーディオデータ全体に対して共通に適用される情報を含むカタログ情報を読み出しておき、カタログ再生情報に基づき特定される前記カタログ情報を再生する段階と、
（ｂ）前記再生されたカタログ情報と連結して再生すべきオーディオデータを再生する段階を含み、
前記カタログ再生情報は前記オーディオデータの実時間再生中に得られる前記オーディオデータの実時間再生情報に基づき特定時間に対応して再生されるべきカタログ情報各々の位置が貯蔵される自動再生情報テーブルを含む
ことを特徴とする方法。
【請求項２】
貯蔵媒体は、オーディオデータのためのオーディオ領域を有し、
オーディオ領域は、オーディオデータが記録されるオーディオデータ記録領域と、オーディオデータ全体および／または個々の項目のオーディオデータの単位におけるオーディオデータのためのオーディオ情報記録領域とを具備し、
オーディオ情報記録領域には、カタログ再生情報が貯蔵される
ことを特徴とする請求項１記載の方法。
【請求項３】
貯蔵媒体は、オーディオデータが記録されるオーディオデータ記録領域と、カタログ情報が記録される画像情報記録領域とを有し、
カタログ情報は、貯蔵媒体上に記録されたオーディオデータ全体に対して共通に適用される情報のための共通カタログデータと、個々の項目のオーディオデータの各々に対応する情報を有するタイトルカタログデータとを具備する
ことを特徴とする請求項１記載の方法。
【請求項４】
カタログ再生情報は、カタログ情報が記録される画像情報記録領域の位置に関する情報を具備する
ことを特徴とする請求項３記載の方法。
【請求項５】
段階（ａ）は、
自動再生情報テーブル内に貯蔵された所定の順番に従ってカタログ情報を再生する段階
を具備する
ことを特徴とする請求項４記載の方法。
【請求項６】
段階（ａ）は、
使用者の選択を受信する段階と、
使用者の選択に従ってカタログ情報を再生する段階と
を具備する
ことを特徴とする請求項３記載の方法。
【請求項７】
段階（ａ）は、
使用者によって選択されたカタログ情報を優先的に再生する段階と、
所定の条件を満足するカタログ情報を再生する段階と
を更に具備する
ことを特徴とする請求項６記載の方法。
【請求項８】
所定の条件は、使用者が、所定量の時間の間にカタログ情報の選択を行うことを選択しなかった場合、または、カタログ自動再生モードを設定した場合である
ことを特徴とする請求項７記載の方法。
【請求項９】
段階（ａ）におけるカタログ情報の再生は、段階（ｂ）におけるオーディオデータの再生と同時に実行される
ことを特徴とする請求項１記載の方法。
【請求項１０】
前記方法は、
段階（ａ）および（ｂ）の前にカタログ再生情報に対応するカタログ情報を貯蔵する段階
を更に具備する
ことを特徴とする請求項９記載の方法。
【請求項１１】
貯蔵媒体上に記録されたデータを再生する方法であって、
前記方法は、
符号化されたオーディオデータを読み出し、かつ、該オーディオデータの再生が開始する前に、該オーディオデータに収録されたオーディオの内容を説明する情報を含む符号化されたカタログ情報と、オーディオデータ全体に対して共通に適用される情報を含む符号化されたカタログ情報を符号化されたカタログ再生情報に従って読み出すこと
を具備し、
符号化されたカタログ再生情報は、連結して再生すべき前記オーディオデータと前記カタログ情報を示し、かつ、前記オーディオデータの実時間再生中に得られる前記オーディオデータの実時間再生情報に基づき特定時間に対応して再生されるべきカタログ情報各々の位置が貯蔵される自動再生情報テーブルを含み、
符号化されたオーディオデータと、該オーディオデータに収録されたオーディオの内容を説明する情報を含む符号化されたカタログ情報と、オーディオデータ全体に対して共通に適用される情報を含む符号化されたカタログ情報と、符号化されたカタログ再生情報とは貯蔵媒体上に貯蔵され、
前記方法は、
貯蔵媒体から読み出された符号化されたオーディオデータと符号化されたカタログ情報とを復号化すること
を具備する
ことを特徴とする方法。
【請求項１２】
前記方法は、
読み出された符号化されたカタログ情報を、符号化されたオーディオデータを貯蔵媒体から読み出す前に貯蔵すること
を更に具備する
ことを特徴とする請求項１１記載の方法。
【請求項１３】
符号化されたカタログ情報は、貯蔵媒体上に記録されたオーディオデータ全体に対して共通に適用される情報のための共通カタログデータと、個々の項目のオーディオデータの各々に対応する情報を有するタイトルカタログデータとを具備し、
前記方法は、
符号化されたオーディオデータの対応するタイトルを読み出す前に、共通カタログデータと１タイトルのタイトルカタログデータとを貯蔵すること
を更に具備する
ことを特徴とする請求項１１記載の方法。
【請求項１４】
前記方法は、
使用者の選択と読み出された符号化されたカタログ再生情報とに従って、共通カタログデータと前記１タイトルのタイトルカタログデータとの再生を制御すること
を更に具備する
ことを特徴とする請求項１３記載の方法。
【発明の詳細な説明】
【０００１】
【発明の属する技術分野】
本発明は光記録及び/または再生分野に係り、特にオーディオデータとこのオ ーディオデータに関連したカタログ情報を貯蔵する貯蔵媒体及びカタログ情報再生装置とその方法に関する。
【０００２】
【従来の技術】
未だにDVD(Digital Versatile Disc)を貯蔵媒体として使用する光記録及び/または再生装置ではカタログ機能、この機能を遂行するための装置または方法が提案されていない。
【０００３】
ここで、カタログとは、貯蔵媒体に主データとして収録されたオーディオに対する製作情報、収録された内容に対する情報、作曲者、歌手及び/または演奏者 に対する情報を視聴者に効率的に伝達するための印刷物を称することであって、 特に本発明では静止画及び字幕の付加情報よりなる映像情報の形態で構成されて貯蔵媒体に共に収録された主データのオーディオの内容を説明するための付加データを称する。
【０００４】
このようなカタログデータはビデオデコーダを有している再生装置で再生されることを基本としており、オーディオが再生される間再生に差し支えを与えなく、使用者の希望のカタログの内容が閲覧できる閲覧機能を有することが望ましい形態といえる。
【０００５】
また、できるだけ既に構築されているDVD-ビデオ用編集システムを使用してこのようなカタログ情報が容易に製作できる構成を有していることが望ましい。
【０００６】
このような要求条件を満足するためには、一つの貯蔵媒体で相異なる機能を有する2種類の情報(オーディオとカタログ)が同時に再生されるべき条件を満足す べきである。従ってカタログ情報は制限された容量をもってあらかじめ再生されて臨時記憶場所に貯蔵されているからこそ、再生装置が再生できる最大伝送速度でオーディオデータが再生される場合にも、オーディオを再生しながら同時にカタログ内容が再生できるべきであるという条件を満足しうる。
【０００７】
即ち、カタログを構成するための情報を貯蔵した貯蔵媒体が駆動装置または再生装置または編集装置に挿入されたならば、まず貯蔵媒体に貯蔵されたカタログ情報を読出して臨時記憶場所、即ちメモリに貯蔵した後、必要な場合にこれを映像で構成して出力すべきである。この場合、貯蔵媒体から読取られたカタログ情報をメモリに貯蔵するためには映像の大きさを限定すべきであるだけでなく、効率的にメモリが使用できる方法を講じるべきである。
【０００８】
そして、カタログ情報には、任意のカタログページを使用者が検索できるようにDVD-ビデオ等で示されたナビゲーション情報、即ち検索情報を付加すべきで、これが処理できる標準が備えられるべきであり、このような標準に合うようにカタログが製作できる編集システムはDVD-ビデオの標準案に従う編集システムと共有させることが望ましい。
【０００９】
ここで、DVD-ROMとは、1996年8月日本の東芝コーポレーションを始めとする10社（DVD forum）が発刊した再生専用ディスクのためのDVD規格の第1部物理規格 と第2部ファイルシステム規格により規定された記録媒体を意味する。そしてDVD-ビデオとは、再生専用ディスクのためのDVD規格の第3部ビデオ規格により規定 された映像情報記録方式により編集されたビデオまたはそのビデオが記録されたDVD-ROMディスクを意味する。
【００１０】
【発明が解決しようとする課題】
本発明の目的は、前記の要求条件に適するようカタログ情報を貯蔵した貯蔵媒体を提供することにある。
本発明の他の目的は、DVDディスク上に貯蔵されたオーディオデータを再生し ながらオーディオデータに関連したカタログ情報から使用者の希望のカタログの内容を自由に閲覧できる再生装置とその方法を提供することにある。
【００１１】
本発明のさらに他の目的は、DVDディスク上に貯蔵されたオーディオデータを 再生しながら使用者が特定位置のカタログ閲覧を指定しなくても、オーディオデータから抽出されたリアルタイム再生情報を用いてカタログの位置を自動にアクセスしてカタログ情報を再生する装置と方法を提供することにある。
【００１２】
【課題を解決するための手段】
前記の目的を達成するために本発明に係る貯蔵媒体は、オーディオデータが貯蔵され、ランダムアクセスが可能な貯蔵媒体において、オーディオデータに関連した情報よりなるカタログ情報が所定領域に貯蔵されることを特徴とする。
【００１３】
本発明に係るカタログ情報再生装置は、オーディオデータとオーディオデータに関連した情報よりなるカタログ情報と、再生する間に前記オーディオデータとカタログ情報をお互い連結するカタログ再生情報を貯蔵した貯蔵媒体から読出されたオーディオデータとカタログ情報を区分して貯蔵する貯蔵手段、カタログ情報を復号化して復元された映像と付加情報を提供するビデオデコーダ、オーディオデータを復号化して復元されたオーディオ信号を提供するオーディオデコーダ、及び使用者の選択とカタログ再生情報を認識してこれに当るカタログ情報が再生されるように制御するコントローラとを含むことを特徴とする。
【００１４】
本発明に係るカタログ情報再生方法は、オーディオデータ、オーディオデータに関連した情報よりなるカタログ情報と、再生する間にオーディオデータとカタログ情報をお互い連結するカタログ再生情報を貯蔵した貯蔵媒体上のデータを再生する方法において、カタログ再生情報に基づいてカタログ情報を映像に再生する段階及び再生されるカタログ情報に対応するオーディオデータを再生する段階とを含むことを特徴とする。
【００１５】
【発明の実施の形態】
以下、添付した図面を参照して、本発明に係るカタログ情報を貯蔵する貯蔵媒体及びカタログ情報再生装置とその方法の望ましい実施の形態を説明する。
図1は本発明に係るカタログ情報を貯蔵する貯蔵媒体の一例のDVD-ROMディスクに貯蔵されている情報の構成を一次元的に示し、全体DVD媒体の貯蔵空間をボリ ューム空間100といい、このボリューム空間100はボリューム情報及び収録されたファイル構造に対する情報よりなっているボリューム及びファイルシステム領域110、映像情報を記録するためのビデオ領域120、オーディオデータを記録するためのオーディオ領域130及びその他のファイル領域140に区分される。
【００１６】
このように区分されたデータ領域は応用例によってビデオ領域120の情報がな い場合もあり、この時各曲に関連したカタログデータはオーディオ領域130内の 所定領域に存在する可能性があり、その他のファイル領域140は存在する場合も あり存在しない場合もある。
【００１７】
また、ビデオ領域120とオーディオ領域130は、各々収録された映像とオーディオに対する管理情報を含んでいるVMG(Video management)121とAMG(Audio Management)131領域と、実際映像及びオーディオデータを収録したファイルのVTS(Video Title Set)122〜124とATS(Audio Title Set)132〜134より成りうる。
【００１８】
VTS1は再び複数のプログラムチェーン(PGC)125〜128よりなる。ここで、PGCは関連したデータの集合を意味する。カタログのためのこのVTS1ファイルは複数のカタログが構成できる静止画と副映像情報、そして静止画及び副映像情報を制御するためのナビゲーション情報より成りうる。VTS2、...、VTSnにはカタログ情 報外に他の情報が貯蔵されることができ、図面にはVTS1 122にオーディオ領域130に関連した全ての映像情報が貯蔵されているので、ビデオ領域はVMG121とVTS1 122だけで構成されることもできる。
【００１９】
ここで、静止画及び副映像、ナビゲーション情報の構成及びこれに対する規定はDVD-ビデオの規格によく示されている。
【００２０】
また、本発明で示すカタログ情報の効率的な利用のために、カタログ情報を全体オーディオ領域に対する一つの共通カタログPGC1 125とオーディオ領域内に収録されている個別オーディオタイトルに対応する複数のタイトルカタログPGC2、PGC3、...PGCn＋1:126、127、128に区分して記録できる構造になっているが、即ちPGC2は最初のオーディオタイトル集合ATS1、即ち最初の曲に関連したタイトルカタログが貯蔵されており、PGC3は二番目のオーディオタイトル集合ATS2、即ち二番目の曲に関連したタイトルカタログが貯蔵されており、このようにしてPGCn＋1はn番目のオーディオタイトル集合ATSn、即ちn番目の曲に関連したタイトル カタログが貯蔵されている。共通カタログと各々のタイトルカタログはビデオタイトル内でPGC(Program chain)単位で構成されている。
【００２１】
本発明では、VTSとATSをお互い連結して再生させるカタログ再生情報はAMG領 域131またはオーディオファイル内の所定領域(情報領域)に貯蔵されうる。このAMG領域131には全体オーディオ領域に対する情報及び各々のタイトルに対する情 報を記録する空間があり、この領域131にカタログ情報の位置を付加的に記録す ることもできる。
【００２２】
本発明の実施の形態ではカタログ再生情報をAMG領域またはオーディオファイ ル領域に貯蔵することとしているが、ディスク上のどんな位置にあっても関係ない。また、ディスクを最初に読出し始めた時カタログ再生情報の有無が区分できる適切な手段が規定されるべきである。カタログ再生情報の有無が区分できる適切な手段はファイルの名前を規定して指定する場合もあり、ディスク上に物理的または論理的なアドレスであらかじめ決まった特定の領域をカタログ再生情報を貯蔵する空間として指定しておくことができ、またはボリューム情報領域のようにディスクを読出しする時必ず読むべきデータ領域にこのようなカタログ再生情報が貯蔵されているファイルの存在有無の情報とファイルでの位置を書込んでおくことができる。
【００２３】
このカタログ再生情報にはカタログを収録した映像情報の位置、ファイル区分子そしてオーディオをリアルタイムで再生する時得られるオーディオのリアルタイム再生情報によって、特定時間に対応して再生されるべきカタログの位置を指定しておく自動再生情報テーブルを有することができる。
【００２４】
図2は本発明で提案するカタログ再生情報の構成を示す。図2において、ファイル区分子(FILE ID)はこのファイルがカタログ再生情報を収録したファイルであ ることが認識できる区分子である。カタログPGC番号はカタログが収録されてい るビデオ領域内の該当共通カタログ及びタイトルカタログに対応するPGC番号を 示す。カタログポインタはカタログが記録されているファイルまたはPGCのディ スク上の位置を示す。
【００２５】
また、自動再生情報テーブルは収録されている各々のタイトルが再生される間オーディオデータから得られるリアルタイム再生情報を用いてカタログを適切に自動に再生できるように再生時間情報とカタログの再生位置に対する情報を有していて、一つのタイトルが再生される間使用者が何の命令も下さない場合にはカタログ内のどんな静止画と副映像情報が再生されるべきかの情報を有している。
【００２６】
図3は本発明を遂行するための再生装置の構成ブロック図であって、ディスク210から読出された信号は一例としてDVD-ROMの物理規格によるDVD再生信号処理部220を経てデジタル信号に復元されてバッファメモリ250に提供される。
【００２７】
復元されたデジタル信号はシステム制御部240の制御下でオーディオデータと ビデオデータに区分されて、一例としてDVD-オーディオ規格を有するオーディオデータはオーディオバッファ251に書込まれ、一例としてDVD-ビデオ規格を有す るビデオデータ、即ちカタログデータはビデオバッファ252に書込まれる。この 時バッファメモリ250は同じ一つのメモリ空間を使用することもでき、または別 個のメモリを割り当てて使用することもできる。
【００２８】
バッファメモリ250に貯蔵されているカタログデータは、システム制御部240から発生する制御信号によって読出されてビデオデコーダ270を通じて映像信号に 復元されて出力される。この時、システム制御部240はリモコンを通した使用者 の制御命令、カタログ再生情報による自動再生情報テーブル、オーディオデータから抽出されたリアルタイム再生情報、そしてカタログデータに含まれているナ ビゲーション情報を基にしてビデオバッファ252に貯蔵されたデータ中再生され るべきカタログデータがビデオデコーダ270を通じて出力できるように適切な制 御信号を発生する。
【００２９】
一方、オーディオバッファ251から読出されるDVD-オーディオ規格を有する純 粋なオーディオデータは、オーディオデコーダ260に提供されてオーディオ信号 として復元され出力される。
【００３０】
ここで、ビデオデコーダ270はDVD-ビデオ規格により製作された映像データを 元の映像とこれに付加された情報の形態に復元する装置を意味し、この具体的な具現方法は既にDVD-ビデオを再生する再生装置の商品化がなされており、該当分野の技術者には広く知られている技術であるので詳細な説明を省略する。また、オーディオデコーダ260は線形パルス符号化変調方式(Linear PCM)またはその他 の決まった方式で符号化されたオーディオデータと、これを管理するための管理情報及びリアルタイム再生情報よりなるオーディオデータを元のオーディオと付加情報に復元する。システム制御部240及びサーボ部230は使用者からの制御命令と再生信号より得られる各種制御信号を用いてシステムが適切な動作をするように制御する。
【００３１】
次いで、図3に示したカタログデータが書込まれ読出されるビデオバッファ252の再生動作を詳細に説明する。
図3に示した再生装置は、特定のオーディオタイトルを再生する前に共通カタ ログと一つのタイトルカタログ、この二つのカタログ情報をビデオバッファ252 に貯蔵しなければならない。そうしなければ曲が再生される間に希望のカタログ情報が再生できなくなる。
【００３２】
共通カタログとタイトルカタログ中何れか一つを選択した時、二つのカタログデータの合計がカタログ再生のためのビデオバッファ252のメモリ容量より大き くてはならない。これは図1を例として再び説明すれば、PGC1 125が全体オーディオ領域に対する共通カタログとし、PGC2 126がオーディオタイトル1、即ち最初 の曲にだけ関連したタイトルカタログ1と仮定する。このような方法でPCG3 127 は2番目の曲のためのタイトルカタログ2、PGCn＋1 128はn番目の曲に対するタイトルカタログnと仮定すれば、各曲を再生する間に必要なカタログ情報は共通カ タログ情報と各再生すべき曲に対するタイトルカタログよりなっている。
【００３３】
一方、一般的なDVD-ビデオを再生する再生装置のバッファメモリの量は約4Mbyteである。これはVBR(variable buffer rate)のようにディスクから読出しする データの伝送速度とリアルタイムで再生されるべきオーディオまたは映像情報のビット伝送率の不一致を解消するための時間バッファの役割をする。
【００３４】
このような既存のバッファはリアルタイムオーディオを再生するために使われるべきであり、カタログを再生するためには追加のメモリを使用すべきである。従って、ただ一つのメモリを使用する場合を考慮して16Mbyteメモリを全体バッ ファメモリ250と仮定する場合、カタログ再生のためのビデオバッファ252のメモリの大きさは12Mbyteになる。例えば、共通カタログのデータの量が5Mbyteであ れば各々のタイトルのためのタイトルカタログの量は最大7Mbyteを越えられない。
【００３５】
また、各タイトルのためのタイトルカタログ情報はある場合もあり、ない場合もある。全体カタログデータの合計が決まっているビデオバッファ252のメモリ 容量より少ない場合には、カタログを共通カタログとタイトルカタログに分けずに共通カタログに全ての曲に対するカタログ情報を記録しておくこともできる。
【００３６】
最初にディスクが再生し始まればシステム制御部240はディスクのボリューム 情報、ファイルシステム、そしてVMG、AMG等の情報を読取る。そして前記のように特定ファイルの形態またはAMG領域131に貯蔵されたカタログ再生情報によってカタログ情報が存在するPGCデータをビデオバッファ252から読取る。必要なカタログデータが全て読取られたならば、オーディオ情報を読出しオーディオバッファ251を通じてオーディオデコーダ260に提供し、このオーディオ情報はオーディオデコーダ260を通じてオーディオ信号に変換されて出力される。
【００３７】
一方、使用者のカタログ選択がある場合には、即ち使用者が再生装置の制御のためのリモコンの入力ユニットを通じて自分の希望のカタログ部分を見るための命令を入力する場合には、これに応答してビデオバッファ252に貯蔵された特定 のカタログデータをビデオデコーダ270に提供する。
【００３８】
もし使用者から特定カタログを再生するための命令が全く入力されない場合、即ち一定時間以上使用者が何の操作もしないとか、自動再生モードを設定した場合には、自動再生情報テーブルにある情報を用いて既に決まったカタログの映像を出力するためにビデオバッファ252に貯蔵された内容をビデオデコーダ270を通じて出力する。
【００３９】
この時、カタログ情報は背景のための静止画と文字送出のための副映像よりなり、このような静止画と副映像の制御構造はDVD-ビデオ規格書に規定された規格に従ってナビゲーション情報を用いて制御する。従って単純に静止画だけを使用する場合に比べて既にDVD-ビデオで32個までの副映像を選択可能にすることによって多重言語の支援ができる長所がある。
【００４０】
また、静止画が直接文字情報を含む場合には、文字情報を鮮明な映像に再現させるためには静止画の解像度を高めるべきなので圧縮率を高められない短所がある反面、背景映像と文字情報を区分することによって背景映像に対する圧縮率を高め、文字に対してはDVD-ビデオで指定する文字を効率的に圧縮できるので効率的な符号化ができる。
【００４１】
【発明の効果】
前述したように、本発明はカタログ機能を既に定義されたDVD-ビデオ規格を用いて具現することによって、DVD-ビデオ用編集システムを用いてDVD-オーディオ用カタログが編集できるだけでなく、DVD-オーディオのカタログが再生できる再生装置の場合、実質的にDVD-ビデオが再生できる兼用機器であることを勘案すれば付加回路が最小化できる長所がある。
【００４２】
かつ、本発明は、既に決まったDVD-ビデオ規格を用いることによって、カタログの文字情報を単に静止画に処理せず副映像に処理して多重言語処理ができる長所がある。
【図面の簡単な説明】
【図１】  本発明で提案するカタログ情報を貯蔵する貯蔵媒体の一例に従うDVD-ROMの一次元構造を示す図である。
【図２】  本発明に係るカタログ情報を再生するためのカタログ再生情報の構成を示すテーブル例の図である。
【図３】  本発明に係るカタログ情報を再生するための再生装置の構成ブロック図である。
【符号の説明】
210  ディスク（貯蔵媒体）
220  DVD再生信号処理部
230  サーボ部
240  システム制御部（コントローラ）
250  バッファメモリ
251  オーディオバッファ
252  ビデオバッファ
260  オーディオデコーダ
270  ビデオデコーダ
【図１】
0004223750.tif 000002
【図２】
0004223750.tif 000003
【図３】
0004223750.tif 000004